(57)【特許請求の範囲】
【請求項１】
一本の線材で形成された平面視略長方形の電極端子部材と、
開口部と側壁部と底面部とを備えた凹部である乾電池収納室と、
前記乾電池収納室の側壁部に面して配置された前記電極端子部材の第１片側にて、前記乾電池収納室の開口部の縁端から前記乾電池収納室の開口部に向かって張り出したフランジ部と、
前記乾電池収納室の側壁部に面して配置された前記電極端子部材の第１片側の外側に沿って、前記乾電池収納室の側壁部から前記乾電池収納室である凹部に向かって突出し、前記乾電池収納室に収納された乾電池を仕切る第１仕切板と、
前記乾電池収納室の側壁部に面して配置された前記電極端子部材の第１片側とは相対する第２片側の外側に沿って、前記乾電池収納室の側壁部から前記乾電池収納室である凹部に向かって突出し、前記乾電池収納室に収納された乾電池を仕切る第２仕切板と、
前記フランジ部とは隔てた状態で前記第１仕切板から前記第２仕切板に向かって突出し、前記乾電池収納室の側壁部に面して配置された前記電極端子部材の第１片側の縁辺部分と向かい合い、前記乾電池収納室の側壁部に面して配置された前記電極端子部材を固定する第１固定板と、
前記第１固定板とは隔てた状態で前記第２仕切板から前記第１仕切板に向かって突出し、前記乾電池収納室の側壁部に面して配置された前記電極端子部材の第２片側の縁辺部分と向かい合い、前記乾電池収納室の側壁部に面して配置された前記電極端子部材を固定する第２固定板と、
前記乾電池収納室の開口部に向かう前記第１固定板とは平行な光を前記第１固定板自身に照らした際に前記フランジ部上に現れる投影面を含んだ領域に設けられ、前記電極端子部材の第１片側の縁辺が挿脱可能な幅をもつ細隙部と、
前記細隙部と前記乾電池収納室の開口部の縁端との間に存在する前記フランジ部の根元に位置し、前記乾電池収納室の側壁部に面して配置された前記電極端子部材の第１片側の縁辺が有する第１隅部をフックする係止部と、を備えたこと、を特徴とする乾電池の収納構造。
【請求項２】
請求項１に記載する乾電池の収納構造であって、
前記乾電池収納室の側壁部が前記第１仕切板及び／又は前記第２仕切板を兼ねていること、を特徴とする乾電池の収納構造。
【請求項３】
請求項１又は請求項２に記載する乾電池の収納構造であって、
前記電極端子部材は前記一本の線材で突起状にコイル形成された負極端子部を備え、
前記第１固定板と前記第２固定板との間隔を、前記乾電池収納室の側壁部に面して配置された前記電極端子部材の負極端子部から前記乾電池収納室の開口部に向かう側では、前記電極端子部材の負極端子部が通過して前記乾電池収納室である凹部に向かって突出可能な距離にしたこと、を特徴とする乾電池の収納構造。
【請求項４】
請求項１乃至請求項３のいずれか一つに記載する乾電池の収納構造であって、
前記電極端子部材の第１片側の縁辺が有する第２隅部に面取部を設けたこと、を特徴とする乾電池の収納構造。
【発明の詳細な説明】
【技術分野】
【０００１】
本発明は、一本の線材で形成された電極端子部材を有する乾電池の収納構造に関するものである。
【背景技術】
【０００２】
下記特許文献１に記載された電池ボックスには、一本の線材で形成された電極端子部材として、スプリング状の負極電極が設けられている。スプリング状の負極電極は、凹型形状の収納部に固定されているので、電池ボックスに挿入された乾電池からの強い接触に耐えることができる。
【先行技術文献】
【特許文献】
【０００３】
【特許文献１】特許第４０２５５５７号公報
【発明の概要】
【発明が解決しようとする課題】
【０００４】
しかしながら、スプリング状の負極電極は、衝撃等で変形することがあるにもかかわらず、収納部に固定されているため、容易に交換することができなかった。
【０００５】
そこで、本発明は、上述した点を鑑みてなされたものであり、一本の線材で形成された電極端子部材を容易に交換することができる乾電池の収納構造を提供することを課題とする。
【課題を解決するための手段】
【０００６】
この課題を解決するためになされた請求項１に係る発明は、乾電池の収納構造であって、一本の線材で形成された平面視略長方形の電極端子部材と、開口部と側壁部と底面部とを備えた凹部である乾電池収納室と、前記乾電池収納室の側壁部に面して配置された前記電極端子部材の第１片側にて、前記乾電池収納室の開口部の縁端から前記乾電池収納室の開口部に向かって張り出したフランジ部と、前記乾電池収納室の側壁部に面して配置された前記電極端子部材の第１片側の外側に沿って、前記乾電池収納室の側壁部から前記乾電池収納室である凹部に向かって突出し、前記乾電池収納室に収納された乾電池を仕切る第１仕切板と、前記乾電池収納室の側壁部に面して配置された前記電極端子部材の第１片側とは相対する第２片側の外側に沿って、前記乾電池収納室の側壁部から前記乾電池収納室である凹部に向かって突出し、前記乾電池収納室に収納された乾電池を仕切る第２仕切板と、前記フランジ部とは隔てた状態で前記第１仕切板から前記第２仕切板に向かって突出し、前記乾電池収納室の側壁部に面して配置された前記電極端子部材の第１片側の縁辺部分と向かい合い、前記乾電池収納室の側壁部に面して配置された前記電極端子部材を固定する第１固定板と、前記第１固定板とは隔てた状態で前記第２仕切板から前記第１仕切板に向かって突出し、前記乾電池収納室の側壁部に面して配置された前記電極端子部材の第２片側の縁辺部分と向かい合い、前記乾電池収納室の側壁部に面して配置された前記電極端子部材を固定する第２固定板と、前記乾電池収納室の開口部に向かう前記１固定板とは平行な光を前記第１固定板自身に照らした際に前記フランジ部上に現れる投影面を含んだ領域に設けられ、前記電極端子部材の第１片側の縁辺が挿脱可能な幅をもつ細隙部と、前記細隙部と前記乾電池収納室の開口部の縁端との間に存在する前記フランジ部の根元に位置し、前記乾電池収納室の側壁部に面して配置された前記電極端子部材の第１片側の縁辺が有する第１隅部をフックする係止部と、を備えたこと、を特徴とする。
【０００７】
また、請求項２に係る発明は、請求項１に記載する乾電池の収納構造であって、前記乾電池収納室の側壁部が前記第１仕切板及び／又は前記第２仕切板を兼ねていること、を特徴とする。
【０００８】
また、請求項３に係る発明は、請求項１又は請求項２に記載する乾電池の収納構造であって、前記電極端子部材は前記一本の線材で突起状にコイル形成された負極端子部を備え、前記第１固定板と前記第２固定板との間隔を、前記乾電池収納室の側壁部に面して配置された前記電極端子部材の負極端子部から前記乾電池収納室の開口部に向かう側では、前記電極端子部材の負極端子部が通過して前記乾電池収納室である凹部に向かって突出可能な距離にしたこと、を特徴とする。
【０００９】
また、請求項４に係る発明は、請求項１乃至請求項３のいずれか一つに記載する乾電池の収納構造であって、前記電極端子部材の第１片側の縁辺が有する第２隅部に面取部を設けたこと、を特徴とする。
【発明の効果】
【００１０】
すなわち、本発明の乾電池の収納構造では、乾電池収納室の側壁部に面して配置された電極端子部材の第１片側の縁辺が有する第１隅部がフランジ部の係止部から外された後で、電極端子部材の第１片側の縁辺がフランジ部の細隙部から引き抜かれることにより、電極端子部材が乾電池収納室から取り出される。一方、電極端子部材の第１片側の縁辺がフランジ部の細隙部に差し込まれた後は、乾電池収納室の側壁部と第１固定板との間に電極端子部材の第１片側の縁辺部分が挿入されるとともに、乾電池収納室の側壁部と第２固定板との間に電極端子部材の第２片側の縁辺部分が挿入される。さらに、電極端子部材の第１片側の縁辺が有する第１隅部がフランジ部の係止部でフックされることで、電極端子部材が乾電池収納室の側壁部に面して配置される。この点、乾電池収納室の側壁部に面して配置される電極端子部材は、一本の線材で形成された平面視略長方形のものである。従って、本発明の乾電池の収納構造は、一本の線材で形成された電極端子部材を容易に交換することができる。
【００１１】
また、第１固定板は、フランジ部とは隔てた状態で第１仕切板から突出したものである。そこで、第１固定板とフランジ部とを隔てた空間に向かって、乾電池収納室の側壁部に面して配置された電極端子部材の第１片側の縁辺が有する第１隅部が傾けられることで、第１隅部がフランジ部の係止部から容易に外される。
【００１２】
さらに、第１固定板とフランジ部とを隔てた空間を利用して、フランジ部の細隙部に差し込まれた電極端子部材の第１片側の縁辺を乾電池収納室の側壁部に向けることで、乾電池収納室の側壁部と第１固定板との間に電極端子部材の第１片側の縁辺部分が容易に挿入される。
【００１３】
また、本発明の乾電池の収納構造では、電極端子部材の第１片側に沿って突出した第１仕切板を乾電池収納室の側壁部が代わりに兼ね、且つ、同一の電極端子部材の第２片側に沿って突出した第２仕切板を乾電池収納室の側壁部が代わりに兼ねていれば、乾電池収納室の側壁部に面して電極端子部材が１個配置された構造にすることができる。
【００１４】
また、本発明の乾電池の収納構造では、一方の電極端子部材の第１片側に沿って突出した第１仕切板を乾電池収納室の側壁部が代わりに兼ね、且つ、他方の電極端子部材の第２片側に沿って突出した第２仕切板を乾電池収納室の側壁部が代わりに兼ねていれば、乾電池収納室の側壁部に面して電極端子部材の双方（２個）が配置された構造にすることができる。
【００１５】
また、本発明の乾電池の収納構造では、電極端子部材は一本の線材で突起状にコイル形成された負極端子部を備えた場合には、第１固定板と第２固定板との間隔を、乾電池収納室の側壁部に面して配置された電極端子部材の負極端子部から乾電池収納室の開口部に向かう側では、電極端子部材の負極端子部が通過して乾電池収納室である凹部に向かって突出可能な距離にすれば、一本の線材で形成された電極端子部材の負極端子部が突起状にコイル形成されたものであっても、そのような電極端子部材を容易に交換することができる。
【００１６】
また、本発明の乾電池の収納構造では、電極端子部材の第１片側の縁辺が有する第２隅部に面取部を設けた場合には、電極端子部材を面取部からフランジ部の細隙部に差し込めば、電極端子部材の第１片側の縁辺をフランジ部の細隙部にスムーズに差し込むことができる。
【図面の簡単な説明】
【００１７】
【図１】本発明の一実施形態に係る乾電池の収納構造が備えられた筐体の平面図である。
【図２】図１の部分Ｐが拡大された平面図である。
【図３】図２の矢視Ａで表された筐体の断面図である。
【図４】図２の矢視Ｂで表された筐体の断面図である。
【図５】図２の矢視Ｃで表された筐体の断面図である。
【図６】本実施形態に係る乾電池の収納構造が備えられた筐体の平面図である。
【図７】図６の部分Ｐが拡大された平面図である。
【図８】図７の矢視Ａで表された筐体の断面図である。
【図９】図７の矢視Ｂで表された筐体の断面図である。
【図１０】図７の矢視Ｃで表された筐体の断面図である。
【図１１】本実施形態に係る乾電池の収納構造を有する乾電池収納室が表された斜視図である。
【図１２】電極端子部材の平面と側面とが表された図である。
【図１３】乾電池の収納形態の一例を説明するための図である。
【図１４】乾電池の収納形態の一例を説明するための図である。
【図１５】乾電池の収納形態の一例を説明するための図である。
【発明を実施するための形態】
【００１８】
［１．電極端子部材］
図１２に表されたように、本発明の一実施形態に係る乾電池の収納構造で使用される電極端子部材１０１は、外形が平面視略長方形であり、一本の線材１０２で形作られている。電極端子部材１０１は、平面視略長方形の外形内に、負極端子部１０３と正極端子部１０４とが設けられている。負極端子部１０３は、コイル状に突起して形作られている。正極端子部１０４は、いくらか隆起させた渦巻きにして形作られている。電極端子部材１０１には、平面視略長方形の外形上に、面取部１０５が設けられている。
【００１９】
ここでは、図１２の右側を電極端子部材１０１の第１片側とし、図１２の左側を電極端子部材１０１の第２片側とする。電極端子部材１０１の第１片側の縁辺１１１には、第１隅部１１２と第２隅部１１３とが形作られている。第２隅部１１３には、面取部１０５が形作られている。
【００２０】
また、電極端子部材１０１の第１片側の外側から中心線Ｄの方へ向かった約第１距離間の領域を、電極端子部材１０１の第１片側の縁辺部分１１４とする。同様にして、電極端子部材１０１の第２片側の外側から中心線Ｄの方へ向かった約第２距離間の領域を、電極端子部材１０１の第２片側の縁辺部分１２１とする。
【００２１】
［２．乾電池の収納構造］
次に、電極端子部材１０１が交換可能な本実施形態に係る乾電池の収納構造について、図１乃至図１１を用いて説明する。図１乃至図５では、電極端子部材１０１が取り出された状態の本実施形態に係る乾電池の収納構造が表されている。図６乃至図１１では、電極端子部材１０１が取り付けられた状態の本実施形態に係る乾電池の収納構造が表されている。図６乃至図１０のそれぞれの図は、図１乃至図５のそれぞれの図に相当する。
【００２２】
図１乃至図１１に表されたように、本実施形態に係る乾電池の収納構造は、ラベルプリンターの筐体１に設けられた乾電池収納室１０に備えられる。
【００２３】
乾電池収納室１０は、略直方体形状の凹部１１であり、開口部１２、側壁部１３、及び底面部１４を有する。乾電池収納室１０に電極端子部材１０１が取り付けられると、乾電池収納室１０の側壁部１３には、電極端子部材１０１が面して配置される（図６乃至図１１参照）。さらに、そのような３個の電極端子部材１０１が、乾電池収納室１０の側壁部１３において、乾電池収納室１０の底面部１４に対して垂直な方向で並列に配置される。
【００２４】
乾電池収納室１０の側壁部１３に面して配置された各電極端子部材１０１の両側（第１片側及び第２片側）には、フランジ部２１がそれぞれ設けられている。フランジ部２１は、乾電池収納室１０の開口部１２の縁端１２Ａから乾電池収納室１０の開口部１２に向かって張り出したものである。
【００２５】
乾電池収納室１０の側壁部１３に面して配置された各電極端子部材１０１の第１片側の外側に沿っては、第１仕切板３１がそれぞれ設けられている。第１仕切板３１は、乾電池収納室１０の側壁部１３から乾電池収納室である凹部１１に向かって突出したものである。さらに、第１仕切板３１は、乾電池収納室１０に収納された乾電池５１（図９，図１０参照）を仕切るものである。
【００２６】
乾電池収納室１０の側壁部１３に面して配置された各電極端子部材１０１の第２片側の外側に沿っては、第２仕切板３２がそれぞれ設けられている。第２仕切板３２は、乾電池収納室１０の側壁部１３から乾電池収納室である凹部１１に向かって突出したものである。さらに、第２仕切板３２は、乾電池収納室１０に収納された乾電池５１を仕切るものである。
【００２７】
尚、図３と図８には、符号３１と符号３２の双方を付した仕切板がある。そのような仕切板は、第１仕切板３１と第２仕切板３２とを兼用している。但し、図９に表された第２仕切板３２は、図８では第１仕切板３１を兼用していることになるが、図９に表された電極端子部材１０１との位置（つまり、電極端子部材１０１の第２片側）の関係では第２仕切板３２の働きをしているので、図９では符号３１は省略している。また、図１０に表された第１仕切板３１は、図８では第２仕切板３２を兼用していることになるが、図１０に表された電極端子部材１０１との位置（つまり、電極端子部材１０１の第１片側）の関係では第１仕切板３１の働きをしているので、図１０では符号３２は省略している。これらの点は、図３と図４と図５とでも、同様である。
【００２８】
各第１仕切板３１には、第１固定板４１がそれぞれ設けられている。第１固定板４１は、フランジ部２１とは隔てた状態で第１仕切板３１から第２仕切板３２に向かって突出したものである。さらに、第１固定板４１は、乾電池収納室１０の側壁部１３に面して配置された電極端子部材１０１の第１片側の縁辺１１１（図１２参照）と向かい合うことで、乾電池収納室１０の側壁部１３に面して配置された電極端子部材１０１を固定するものである。
【００２９】
各第２仕切板３２には、第２固定板４２がそれぞれ設けられている。第２固定板４２は、第１固定板４１とは隔てた状態で第２仕切板３２から第１仕切板３１に向かって突出したものである。さらに、第２固定板４２は、乾電池収納室１０の側壁部１３に面して配置された電極端子部材１０１の第２片側の縁辺部分１２１（図１２参照）と向かい合うことで、乾電池収納室１０の側壁部１３に面して配置された電極端子部材１０１を固定するものである。
【００３０】
尚、第１固定板４１と第２固定板４２とは面一上に存在する。
【００３１】
第１固定板４１と第２固定板４２との間隔Ｗ（図３参照）は、乾電池収納室１０の側壁部１３に面して配置された電極端子部材１０１の負極端子部１０３から乾電池収納室１０の開口部１２に向かう側では、つまり、図３の符号Ｗから図３の上側では、電極端子部材１０１の負極端子部１０３が通過して乾電池収納室１０である凹部１１に向かって突出可能な距離になっている。この点、電極端子部材１０１の負極端子部１０３はコイル形状であることから、図３の符号Ｗ付近では、第１固定板４１と第２固定板４２とが円弧状の外形をしている。従って、第１固定板４１と第２固定板４２との間隔Ｗは一定ではない。
【００３２】
フランジ部２１の根元付近には、細隙部２２が設けられている。細隙部２２の形状は、電極端子部材１０１の第１片側の縁辺１１１が挿脱可能な幅をもつスリット形状である。細隙部２２から乾電池収納室１０の底面部１４の側に向かった途中には、第１固定板４１の厚み部分が存在する。つまり、乾電池収納室１０の開口部１２に向かう第１固定板４１とは平行な光を第１固定板４１自身に照らしたとすれば、第１固定板４１の投影面がフランジ部２１上に現れるはずだが、その投影面を含んだ領域があるフランジ部２１の根元付近に細隙部２２が設けられている。
【００３３】
尚、乾電池収納室１０の側壁部１３に面して配置された電極端子部材１０１のいずれの第１片側に位置しないフランジ部２１の根元付近には、細隙部２２が設けられていない。図２と図７で言えば、最も右端にあるフランジ部２１の根元付近には、細隙部２２が設けられていない。
【００３４】
フランジ部２１の根元には、細隙部２２に隣接した係止部２３が設けられている。つまり、係止部２３は、細隙部２２と乾電池収納室１０の開口部１２の縁端１２Ａとの間に存在するフランジ部２１の根元に位置している。係止部２３は、乾電池収納室１０の側壁部１３に面して配置された電極端子部材１０１の第１片側の縁辺１１１が有する第１隅部１１２をフックするものである。
【００３５】
尚、乾電池５１は、Ｎｉ−ＭＨ電池（ニッケル・水素充電池）である。
【００３６】
一方、乾電池収納室１０において、側壁部１３とは対向する側壁部６１には、負極端子部用の電極端子部材６３と正極端子部用の電極端子部材６２とが設けられる。負極端子部用の電極端子部材６３は、金属部材が折り曲げられた板バネの形態を有し、電極端子部材１０１の正極端子部１０４に対向する位置に設けられる。従って、負極端子部用の電極端子部材６３は、３個あり、乾電池収納室１０の底面部１４の側に位置する。また、正極端子部用の電極端子部材６２は、金属部材の一部が隆起した板バネの形態を有し、電極端子部材１０１の負極端子部１０３に対向する位置に設けられる。従って、正極端子部用の電極端子部材６２は、３個あり、乾電池収納室１０の開口部１２の側に位置する。
【００３７】
［３．乾電池の収納構造の作用・効果］
すなわち、本実施の形態に係る乾電池の収納構造では、乾電池収納室１０の側壁部１３に面して配置された電極端子部材１０１の第１片側の縁辺１１１が有する第１隅部１１２がフランジ部２１の係止部２３から外された後で、電極端子部材１０１の第１片側の縁辺１１１がフランジ部２１の細隙部２２から引き抜かれることにより、電極端子部材１０１が乾電池収納室１０から取り出される。
【００３８】
一方、電極端子部材１０１の第１片側の縁辺１１１がフランジ部２１の細隙部２２に差し込まれた後は、乾電池収納室１０の側壁部１３と第１固定板４１との間に電極端子部材１０１の第１片側の縁辺部分１１４が挿入されるとともに、乾電池収納室１０の側壁部１３と第２固定板４２との間に電極端子部材１０１の第２片側の縁辺部分１２１が挿入される。
【００３９】
さらに、電極端子部材１０１の第１片側の縁辺１１１が有する第１隅部１１２がフランジ部２１の係止部２３でフックされることで、電極端子部材１０１が乾電池収納室１０の側壁部１３に面して配置される。
【００４０】
この点、乾電池収納室１０の側壁部１３に面して配置される電極端子部材１０１は、一本の線材１０２で形成されたものである。以上より、本実施の形態に係る乾電池の収納構造は、一本の線材１０２で形成された電極端子部材１０１を容易に交換することができる。
【００４１】
また、第１固定板４１は、フランジ部２１とは隔てた状態で第１仕切板３１から突出したものである。そこで、第１固定板４１とフランジ部２１とを隔てた空間に向かって、乾電池収納室１０の側壁部１３に面して配置された電極端子部材１０１の第１片側の縁辺１１１が有する第１隅部１１２が傾けられることで、第１隅部１１２がフランジ部２１の係止部２３から容易に外される。
【００４２】
さらに、第１固定板４１とフランジ部２１とを隔てた空間を利用して、フランジ部２１の細隙部２２に差し込まれた電極端子部材１０１の第１片側の縁辺１１１を乾電池収納室１０の側壁部１３に向けることで、乾電池収納室１０の側壁部１３と第１固定板４１との間に電極端子部材１０１の第１片側の縁辺部分１１４が容易に挿入される。
【００４３】
また、本実施の形態に係る乾電池の収納構造では、電極端子部材１０１は一本の線材１０２で突起状にコイル形成された負極端子部１０３を備えている。さらに、第１固定板４１と第２固定板４２との間隔Ｗを、乾電池収納室１０の側壁部１３に面して配置された電極端子部材１０１の負極端子部１０３から乾電池収納室１０の開口部１２に向かう側では、つまり、図３の符号Ｗから図３の上側では、電極端子部材１０１の負極端子部１０３が通過して乾電池収納室１０である凹部１１に向かって突出可能な距離にしている。従って、本実施の形態に係る乾電池の収納構造では、一本の線材１０２で形成された電極端子部材１０１の負極端子部１０３が突起状にコイル形成されたものであっても、そのような電極端子部材１０１を容易に交換することができる。
【００４４】
また、本実施の形態に係る乾電池の収納構造では、電極端子部材１０１の第１片側の縁辺１１１が有する第２隅部１１３に面取部１０５が設けられている。従って、本実施の形態に係る乾電池の収納構造では、電極端子部材１０１を面取部１０５からフランジ部２１の細隙部２２に差し込めば、電極端子部材１０１の第１片側の縁辺１１１をフランジ部２１の細隙部２２にスムーズに差し込むことができる。
【００４５】
［４．その他］
尚、本発明は上記実施形態に限定されるものでなく、その趣旨を逸脱しない範囲で様々な変更が可能である。
【００４６】
［４．−１  乾電池収納室における乾電池のセット形態］
例えば、本実施の形態に係る乾電池の収納構造は、乾電池収納室１０の底面部１４に対して垂直な方向で２本の乾電池５１が３組セットされるものであるが、図１３に表されたように、斜めの方向で乾電池５１がセットされるものでもよい。
【００４７】
［４．−２  電極端子部材の個数］
また、本実施の形態に係る乾電池の収納構造は、３個の電極端子部材１０１が乾電池収納室１０の側壁部１３に並列に配置されるものであるが、４個以上の電極端子部材１０１が乾電池収納室１０の側壁部１３に並列に配置されるものでもよい。
【００４８】
また、本実施の形態に係る乾電池の収納構造は、電極端子部材１０１の第１片側に沿って突出した第１仕切板３１を乾電池収納室１０の側壁部１３と交わる側壁部７３（図３，図８参照）が代わりに兼ね、且つ、同一の電極端子部材１０１の第２片側に沿って突出した第２仕切板３２を乾電池収納室１０の側壁部１３と交わる側壁部８３（図３，図８参照）が代わりに兼ねていれば、乾電池収納室１０の側壁部１３に面して電極端子部材１０１が１個配置された構造にすることができる。このような場合には、図１４に表されたように、乾電池収納室１０の底面部１４に対して垂直な方向で２本の乾電池５１が１組セットされる。
【００４９】
また、本実施の形態に係る乾電池の収納構造では、一方の電極端子部材１０１の第１片側に沿って突出した第１仕切板３１を乾電池収納室１０の側壁部１３と交わる側壁部７３（図３，図８参照）が代わりに兼ね、且つ、他方の電極端子部材１０１の第２片側に沿って突出した第２仕切板３２を乾電池収納室１０の側壁部１３と交わる側壁部８３（図３，図８参照）が代わりに兼ねていれば、乾電池収納室１０の側壁部１３に面して電極端子部材１０１の双方（２個）が配置された構造にすることができる。このような場合には、図１５に表されたように、乾電池収納室１０の底面部１４に対して垂直な方向で２本の乾電池５１が２組セットされる。
【００５０】
［４．−３  電極端子部材の形態］
また、電極端子部材１０１は、負極端子部１０３と正極端子部１０４とが設けられたものであるが、負極端子部１０３のみが設けられたものであってもよいし、正極端子部１０４のみが設けられたものであってよい。そのような場合には、乾電池収納室１０の側壁部６１では、電極端子部材１０１の負極端子部１０３に対向する位置に正極端子部用の電極端子部材６２のみが設けられ、電極端子部材１０１の正極端子部１０４に対向する位置に負極端子部用の電極端子部材６３のみが設けられる。
【符号の説明】
【００５１】
１０    乾電池収納室
１１    凹部
１２    開口部
１２Ａ  開口部の縁端
１３    側壁部
１４    底面部
２１    フランジ部
２２    細隙部
２３    係止部
３１    第１仕切板
３２    第２仕切板
４１    第１固定板
４２    第２固定板
５１    乾電池
１０１    電極端子部材
１０２    一本の線材
１０３    負極端子部
１０５    面取部
１１１    電極端子部材の第１片側の縁辺
１１２    電極端子部材の第１片側の縁辺が有する第１隅部
１１３    電極端子部材の第１片側の縁辺が有する第２隅部
１１４    電極端子部材の第１片側の縁辺部分
１２１    電極端子部材の第２片側の縁辺部分
Ｗ    第１固定板と第２固定板との間隔
【図１】
0005810908.tif 000002
【図２】
0005810908.tif 000003
【図３】
0005810908.tif 000004
【図４】
0005810908.tif 000005
【図５】
0005810908.tif 000006
【図６】
0005810908.tif 000007
【図７】
0005810908.tif 000008
【図８】
0005810908.tif 000009
【図９】
0005810908.tif 000010
【図１０】
0005810908.tif 000011
【図１１】
0005810908.tif 000012
【図１２】
0005810908.tif 000013
【図１３】
0005810908.tif 000014
【図１４】
0005810908.tif 000015
【図１５】
0005810908.tif 000016